(57)【要約】【課題】アクセサリーの構造を提供する。  【解決手段】主にストーン（好ましくはパワーストーン）及び図層で構成するアクセサリーの構造であり、該ストーンは陶土粉末、磁土粉末或いはガラス粉末と遠赤外線粉末、マイナスイオン粉末を原料とし、水を加えて攪拌した後、金具成型及び高温釜で焼結して完成し、一つの貫通する穿孔を具有する。該図層は環境に良い有機色素、エポキシ、アミンリチウム硬化剤をミックスして有色塗料に調合してから、該ストーンの表面に塗布する。該図層は少なくとも一つの図案を具有する。ロープ、チェーン、フック部品、バックルなどを用いて該穿孔に通すことで、該アクセサリーを人体につける或いは随時携帯するため、ストーンが近距離から人体に遠赤外線及びマイナスイオンを放出することができ、良好な保健効果を得ることができる。また、図層により、全体がベストな質感及び美観を帯びることとなる。【選択図】  図２
0003171200.tif 000002
【実用新案登録請求の範囲】
【請求項１】
ストーン、図層を含み、
該ストーンは陶土粉末、磁土粉末或いはガラス粉末と遠赤外線粉末、マイナスイオン粉末を原料とし、水を加えて攪拌した後、金具成型及び高温釜で焼結して完成したものであり、貫通する一つの穿孔を具有し、
該図層は環境に良い有機色素、エポキシ、アミンリチウム硬化剤をミックスして有色塗料に調合してから、該ストーンの表面に塗布し、該図層は少なくとも一つの図案を具有することを特徴とするアクセサリー。
【請求項２】
該図案は中空状であるため、内側のストーンが露出することを特徴とする請求項１記載のアクセサリー。
【請求項３】
更に少なくとも一つのダイヤモンドを含み、該ストーンに少なくとも一つの溝を具有し、該ダイヤモンドを嵌め込むことを特徴とする請求項１或いは請求項２記載のアクセサリー。
【請求項４】
該ストーンは中央に向けてアーチラインを描く円盤状のものであり、該穿孔はエッジに近い場所に位置し、該溝は正面の中央部に位置し、該図層の図案は該ストーンと対応する正面に位置することを特徴とする請求項３記載のアクセサリー。
【考案の詳細な説明】
【技術分野】
【０００１】
本考案はアクセサリーの構造に関し、特に人体に遠赤外線及びマイナスイオンを放出し、良好な保健効果を生じ、且つ全体的にベストな質感及び美観を併せ持つパワーアクセサリーの構造に関する。
【背景技術】
【０００２】
現代人は忙しく緊迫した毎日を送っているゆえに、ストレスや多忙な仕事により、体の健康を無視しやすくなる。人体に遠赤外線を照射すると、それが深く皮膚に浸透し、同じ細胞組織が共振するのを振幅することで、細胞の活動力を増進し、人体の新陳代謝を促進し、ストレス解消などの保健効果に達することができることは、科学研究の実験で分かっている。一方、マイナスイオンは人体の健康に大変良いものであり、中枢神経の活動を調節し、大脳機能を改善、肺の換気機能を促進及び、免疫力を強めるなどの効果がある。毎日適量のマイナスイオンを吸うことで、心臓及び大脳の血管疾病による症状や、風邪及び気管支疾病を予防することができ、人をエネルギッシュにさせ、疲労や倦怠感をなくし、仕事の能率を上げるほか、睡眠の質を向上させ、神経衰弱を解消し、病気の発症率を下げる。
【０００３】
現在アクセサリーやブレスレットなど、多くの身に着けるアクセサリーなどが販売されている。しかし、それらのアクセサリーは美しく見せるためだけのものであり、人体の健康に対し、プラスとなるところがなく、機能性も高くないことを鑑みて、更なる改善をする必要があった。
【先行技術文献】
【特許文献】
【０００４】
【特許文献１】登録実用新案第３０８５９０４号公報
【考案の概要】
【考案が解決しようとする課題】
【０００５】
前記公知構造の欠点を解決するため、本考案は人体に遠赤外線及びマイナスイオンを放出し、良好な保健効果を得ることができ、全体的にベストな質感及び美観を併せ持つアクセサリーを提供することを主な課題とする。
【課題を解決するための手段】
【０００６】
上述の目的を解決するために、本考案はアクセサリーの構造を提供することにある。主にストーン（好ましくはパワーストーン）及び図層で構成し、該ストーンは陶土粉末、磁土粉末或いはガラス粉末と遠赤外線粉末、マイナスイオン粉末を原料とし、水を加えて攪拌した後、金具成型及び高温釜で焼結して完成し、一つの貫通する穿孔を具有する。該図層は環境に良い有機色素、エポキシ、アミンリチウム硬化剤をミックスして有色塗料に調合してから、該ストーンの表面に塗布する。該図層は少なくとも一つの図案を具有する。
【０００７】
本考案はロープ、チェーン、フック部品、バックルなどを用いて該穿孔に通すことで、該アクセサリーを人体の手や足、首、或いは衣服につける或いは随時携帯することで、ストーンが近距離から人体に遠赤外線及びマイナスイオンを放出するため、良好な保健効果を得ることができる。また、図層及び描かれている図案を介し、全体がベストな質感及び美観を帯びることとなる。    
【０００８】
本考案の図層にある図案は、中空状を呈すことができ、内側のストーンを外側から見ることができる。よって、該ストーンは該中空状の図案を通じ、直接大量の遠赤外線及びマイナスイオンを放出することで、更なる保健効果を得ることができる。また、該中空状の図案により、該図層は特殊なビジュアル効果を具有することとなり、全体の質感がアップする。
【考案の効果】
【０００９】
本考案のアクセサリーの構造は、ロープ、チェーン、フック部品、バックルなどを用いて該穿孔に通し、人体の手や足、首、或いは衣服につける或いは随時携帯することで、パワーストーンが近距離から人体に遠赤外線及びマイナスイオンを放出するため、良好な保健効果を得ることができる。また、図層及び描かれている図案を介し、全体がベストな質感及び美観を帯びることとなる。
【図面の簡単な説明】
【００１０】
【図１】本考案のストーンの立体略図である。
【図２】本考案にダイヤモンドを嵌めこむ動作略図である。
【図３】本考案の立体組合せ略図である。
【図４】本考案の正面略図である。
【図５】本考案の断面拡大略図である。
【考案を実施するための形態】
【００１１】
図１〜図５に示すのは、アクセサリーであり、それに含まれるのはストーン１０、図層２０及びダイヤモンド３０である。
【００１２】
該ストーン１０は陶土粉末、磁土粉末或いはガラス粉末と遠赤外線粉末、マイナスイオン粉末を原料とし、水を加えて攪拌した後、金具成型及び高温釜で焼結して完成する。該ストーン１０は中央に向けてアーチラインを描く円盤状のものであり、エッジに近い場所に、貫通する穿孔１１を具有し、正面中央に一つの溝１２を具有する。該遠赤外線粉末は天然鉱石(麦飯石)を１２５０℃に焙り-焼結-炭酸化して精製される。それに含まれる元素はＳｉＯ２：６５〜７１％、Al２O３：１５．５〜１８．６％、Fe２O３：３〜５％、ＣａＯ及び少量のＺｒＯ、ＭｇＯ、Ｋ２Ｏ、Ｎａ２Ｏと、１％以下のＴｉＯ２、Ｐ２Ｏ５、Ｍｎ２Ｏ３である。また、この遠赤外線粉末が放出する物理光線である赤外線の波長は、人体に最も有益な６〜１４ミクロンであり、該装着部位の血液循環を促進し、皮膚の毛細血管を拡張させるとともに、皮膚の老化を防止、新陳代謝を促進、自律神経を調節する機能を具有する。該マイナスイオン粉末の特徴は主にホウ素を含むＡｌ、Ｎａ、Ｆｅ、Ｍｇ、Ｌｉの環状ケイ酸塩鉱物のクラス構造であり、主な成分は三方晶ケイ酸塩、少量の鉄酸化物、アルミナ、マグネシウムと有機物などを含み、マイナスイオンの放出数は、１立方メートルあたり１０００以上であり、郊外や田んぼなどの自然環境にいるのと同じ条件となり、有害物質を吸収、分解し、持続してヒドロキシルイオン(H3O2)を放出し、空気を浄化する特性を持つ。
【実施例】
【００１３】
該図層２０は環境に良い有機色素、エポキシ、アミンリチウム硬化剤をミックスして有色塗料に調合してから、該ストーン１０の表面に塗布する。該図層２０が対応する該ストーン１０の正面に一つの図案２１を具有し、該図案２１は中空状であるため、内側のストーン１０が露出する。本考案の図式は全て外図層２０部分の厚みを特別に厚くした略図である。それの目的とは、該図層２０及ぶ図案２１の構造を容易に識別し、説明しやすくための誇大効果である。実際の図層２０は該ストーン１０の表面に薄く塗布したものである。
【００１４】
ダイヤモンド３０を該溝１２に嵌め込み、該溝１２よりはみ出る部分は、複数の屈折面にカットする。該ダイヤモンド３０は天然のもの、或いは人工のもののいずれでも良い。本考案で使用するダイヤモンド３０は代わりに宝石や真珠、翡翠やメノウなどを入れることもできるほか、該ダイヤモンド３０をはめ込まないという選択もある。これについては、これ以上言及しないこととする。
【産業上の利用可能性】
【００１５】
本考案はロープ、チェーン、フック部品、バックルなどを用いて該穿孔１１に通すことで、該アクセサリーがネックレス、ブレスレット、アンクレット、イヤリング、ネクタイクリップ、ヘアバンド、カフス、ヘアピン、携帯電話のストラップ、キーホルダーなどとすることができ、人体の手足や首、頭、または衣服につけたり、携帯したりすることができる。そうすることでストーン１０が近距離から人体に遠赤外線及びマイナスイオンを放出することができ、良好な保健効果を得ることができる。特に該図層２０にある中空状の図案２１により、該ストーン１０は完全に遮蔽されず、該中空状の図案２１を経て、直接大量の遠赤外線及びマイナスイオンを放出することで、更なる保健効果を得ることができる。また、該図層２０にある中空状の図案２１とストーン１０の色の組合せにより、特殊なビジュアル効果が生まれ、全体的にベストな質感と美観を得ることができる。
【符号の説明】
【００１６】
１０  ストーン（パワーストーン）
１１  穿孔
１２  溝
２０  図層
２１  図案
３０  ダイヤモンド
【図１】
0003171200.tif 000003
【図２】
0003171200.tif 000004
【図３】
0003171200.tif 000005
【図４】
0003171200.tif 000006
【図５】
0003171200.tif 000007